(57)【要約】【課題】施療機構を有する身体支持部を移動させることで、大腿部から脹脛までを移動しながら施療できるマッサージ機を提供する。【解決手段】座部２と、施療機構３３を有する身体支持部３と、前記身体支持部３を被施療者の大腿部から少なくとも脹脛までを移動させる移動機構６と、前記移動機構６を駆動させる第１駆動源６１と、を有する。前記身体支持部３は、前記移動機構６によって、大腿部から少なくとも脹脛までを移動しながら、擦り施療動作を行なう。【選択図】      図１
2013078487.tif 000002
【特許請求の範囲】
【請求項１】
座部と、
施療機構を有する身体支持部と、
前記身体支持部を被施療者の大腿部から少なくとも脹脛までを移動させる移動機構と、
前記移動機構を駆動させる第１駆動源と、
を有するマッサージ機。
【請求項２】
前記身体支持部の施療機構は、擦り部を有していることを特徴とする請求項１に記載のマッサージ機。
【請求項３】
前記擦り部は、
対向する側壁部と、
該側壁部の間にあり、身体の底面を支持する中央部を有しており、
少なくとも側壁部と中央部のいずれかを往復運動させる往復運動部と、
該往復運動部を駆動させる第２駆動源と、
を有することを特徴とする請求項２に記載のマッサージ機。
【請求項４】
前記身体支持部の施療機構は施療部を有しており、
該施療部は、前記擦り部に設けられており、
断続的、又は連続的に施療を行うことを特徴とする請求項２又は３に記載のマッサージ機。
【請求項５】
前記施療部は、膨張収縮する複数のエアセルであって、
被施療者の身体に沿うように設けられており、
施療部位の変更に伴って、膨張させるエアセルを変更することを特徴とする請求項４に記載のマッサージ機。
【請求項６】
前記マッサージ機は、更にフットレストを有しており、
前記身体支持部の後端に、座部が位置し、
前記身体支持部の前端に前記フットレストが位置し、
前記フットレストは、身体支持部の前端に回動可能に軸支されており、フットレストを回動させる回動機構を備えることを特徴とする請求項１〜５のいずれかに記載のマッサージ機。
【請求項７】
前記フットレストの回動機構は、施療を行う前に、フットレストを上方回動させることを特徴とする請求項６に記載のマッサージ機。
【請求項８】
前記移動機構は、
前記身体支持部と、フットレストと、フットレストの回動機構とを、共に移動させることを特徴とする請求項６または７に記載のマッサージ機。
【発明の詳細な説明】
【技術分野】
【０００１】
本発明は、大腿部から脹脛までをマッサージできるマッサージ機に関する。
【背景技術】
【０００２】
従来より特許文献１に開示されるような、足載台が前後に摺動移動しながら、被施療者の足部をマッサージするマッサージ機がある。
これは、背凭れ部と座部を有し、座部前部には出没機構を介してその前端に前方に出没可能な足載台を設けた椅子において、前記足載台に摺動機構を設けると共に、足載台を座部前方で自動的に前後に摺動移動させる摺動プログラムを備え、選択指定された摺動プログラムに応じて足載台が前後に摺動移動するようにし、使用者が足載台を好みの位置に摺動させてリラックスした姿勢で椅子に着座する事ができるようにすると共に、足載台上に載置された施療者の足部に自動的に摩り施療や連続摩り膨縮施療を施す事ができるようにしたものである。
しかし、特許文献１では、大腿部から脹脛までを移動しながら施療することができない。
また、特許文献２に開示されるような、ベッド型の指圧装置であって、指圧装置が大腿部および脹脛部を指圧できるようにするマッサージ機がある。
これは、身体の脚部、腕部等を抱持しえるように形成される抱持枠と、その抱持枠を開閉する開閉動作装置と、伸縮作動を繰り返す一対の指圧筒と、抱持枠を支持する支持部材をその抱持枠とともに、指圧筒の伸縮方向と略直行する方向に往復動させる抱持枠往復動装置を有する指圧装置が開示されている。
特許文献２においては、指圧装置の指圧筒は、身体の形状によって、取付け位置や数を変更するものであり、大腿部の指圧装置をそのまま脹脛部に移動させて指圧するものではない。
【０００３】
【特許文献１】特開２００２−３２０６５４
【特許文献２】特開昭５０−１３６９９４
【発明の概要】
【発明が解決しようとする課題】
【０００４】
本発明は、上記の従来の問題に鑑みて発明したものであって、その課題とするところは、施療機構を有する身体支持部を移動させることで、大腿部から脹脛までを移動しながら施療できるマッサージ機を提供することにある。
【０００５】
座部と、施療機構を有する身体支持部と、前記身体支持部を被施療者の大腿部から少なくとも脹脛までを移動させる移動機構と、前記移動機構を駆動させる第１駆動源と、を有することを特徴とする。このような構成とすることで、大腿部から少なくとも脹脛までを移動しながら施療をおこなうことができる。
【０００６】
前記身体支持部の施療機構は、擦り部を有していることを特徴とする。この様に構成することで、移動機構による擦り動作と擦り部による擦り動作が可能となる。
【０００７】
前記擦り部は、対向する側壁部と、該側壁部の間にあり、身体の底面を支持する中央部を有しており、少なくとも側壁部と中央部のいずれかを往復運動させる往復運動部と、該往復運動部を駆動させる第２駆動源と、を有することを特徴とする。このような構成とすることで、中央部に身体を安定的に支持した状態で、被施療者の側面に対して、擦り動作を行なうことができる。
【０００８】
前記身体支持部の施療機構は施療部を有しており、該施療部は、前記擦り部に設けられており、断続的、又は連続的に施療を行うことを特徴とする。
この様に構成することで、移動機構や擦り部での擦り動作を停止したとしても、施療部で施療を行うことができ、施療部による施療と擦り部による施療を組合わせることもできる。
【０００９】
前記施療部は、膨張収縮する複数のエアセルであって、被施療者の身体に沿うように設けられており、施療部位の変更に伴って、膨張させるエアセルを変更することを特徴とする。大腿部から脹脛は太さが異なるため、太さに合わせてマッサージを行うことができる。
【００１０】
前記マッサージ機は、更にフットレストを有しており、前記身体支持部の後端に、座部が位置し、前記身体支持部の前端に前記フットレストが位置し、前記フットレストは、身体支持部の前端に回動可能に軸支されており、フットレストを回動させる回動機構を備えることを特徴とする。このように構成することで、足をのばした状態で大腿部から脹脛をマッサージすることができる。
【００１１】
前記フットレストの回動機構は、施療を行う前に、フットレストを上方回動させることを特徴とする。施療前は、フットレストを下方回動させておくことで、非施療時はマッサージ機をコンパクトにしておける。
【００１２】
前記移動機構は、前記身体支持部と、フットレストと、フットレストの回動機構とを、共に移動させることを特徴とする。身体支持部を座部から近接離反させたとしても、身体支持部とフットレストとフットレストの回動機構とを一緒に動かすことで、足を伸ばした状態の施療者を保持できる。
【発明の効果】
【００１３】
本発明によれば、身体支持部が大腿部から脹脛部までを移動しながら施療を行うことができる。
【図面の簡単な説明】
【００１４】
【図１】本発明のマッサージ機の実施の一形態を示す斜視図である。
【図２】本発明のマッサージ機の側面図である。
【図３】本発明のマッサージ機のフレーム部の斜視図である。
【図４】本発明のマッサージ機の実施の一形態を示す正面図である。
【図５】本発明のマッサージ機の実施の一形態を示す斜視図である。
【図６】本発明のマッサージ機の実施の一形態を示す斜視図である。
【図７】本発明のマッサージ機の身体支持部を示す図である。
【図８】本発明のマッサージ機の他の実施の一形態を示す側面図である
【図９】本発明のマッサージ機の他の実施の一形態を示す図である。
【図１０】本発明のマッサージ機の他の実施の一形態を示す図である。
【発明を実施するための形態】
【００１５】
図１に示すマッサージ機１は、被施療者が着座する座部２と被施療者の大腿部又は脹脛を支持する身体支持部３と少なくとも脹脛を支持するフットレスト４を有している。図１（ａ）は、身体支持部３が収納位置にある状態を示す図であり、図１（ｂ）は、身体支持部３が最突出位置にある状態を示す図である。
【００１６】
以下の方向の概念は、座部２に着座した被施療者から見たときの方向の概念と一致するものとし、その他の場合は適宜説明するものとする。前記座部２は、被施療者の臀部側を後端２１とし、被施療者の大腿部側の端部を前端２２としており、前記身体支持部３の後端３１は、被施療者の大腿部側にあって、座部２の前端２２と対向しており、前記身体支持部３の前端３２は、被施療者の膝部分に位置し、前記身体支持部３の前端３２は、フットレスト４の後端４１と対向しており、フットレスト４の前端４２は被施療者の足部分に位置する。
【００１７】
図２に示すマッサージ機１は、図１で示す本発明のマッサージ機の側面図を示している。図２（ａ）は、図１（ａ）に対応しており、図２（ｂ）は、図１（ｂ）に対応している。
また、図３は、本発明のマッサージ機の座部２及び身体支持部３を支持するフレーム部５を示している。
図３に示す、フレーム部５は、床面Ｆと対向するフレームベース５１と、前記フレームベース５１に設けられた電源ユニット５２と、各駆動源を制御する制御部（図示せず）と、後述する身体支持部３を移動させる移動機構６の第１駆動源６１と、前記第１駆動源６１の駆動力を伝達する伝達機構６２と、減速機構６３と、減速機構６３を介して設けられ中途部にギア６５を設けた駆動軸６４と、後述する身体支持部３の施療部３３ｂにエアを給排気するためのポンプ５７とを有し、フレームベース５１の左右に設けられ、床面Ｆと当接する一対の側部フレーム５３と、一対の側部フレーム５３に設けられ、座部２を所定高さで保持固定するための支持フレーム５４と、支持フレーム５４近傍に設けられた前記移動機構６の駆動軸６４の端部を保持する一対のブラケット５５と、座部２と側部フレーム５３の間にあって、支持フレーム５４に固定された、一対のコの字状のレール５６と、を有している。
コの字状のレール５６は、ストッパ（図示せず）を有しており、後述する身体支持部３は、ストッパ位置で停止する。
【００１８】
前記座部２は、柔軟性をもった部材で構成されており、その上面に被施療者の臀部を支える身体支持面２３を有しており、被施療者の臀部を安定的保持している。座部２は、フレーム部５の支持フレーム５４によって床面Ｆから所定高さをもって、保持されることが望ましい。
【００１９】
図３には、移動機構６のセンサ６０が示されており、該センサ６０は、プーリーに磁石を埋め込み、その磁力を検知するホールＩＣである。前記センサ６０は、駆動伝達機構の近傍に設けることが好ましく、プーリーの回転数及び回転方向を検知することができる。
プーリーの回転数を検知することで、身体支持部の位置を検出することが可能であり、プーリーの回転方向を検知することで、大腿部から脹脛へ移動させたり、脹脛から大腿部へ移動させる動きが可能となる。
【００２０】
身体支持部３の位置を検出するには、プーリーが何回転したかをホールＩＣで検知し、身体支持部３の位置を特定している。また、回転方向については、センサ部にホールＩＣを２つ並べることで、回転方向の正逆を検知している。
このほか、移動機構６には、後述する収納位置と最突出位置でリミットセンサ（図示せず）が設けられており、レール５６やラック６９から身体支持部３が脱落しないようになっている。
【００２１】
図４は、本発明のマッサージ機１の実施の一形態を示す正面図である。図４で示す様に、移動機構６は、身体支持部３を支持する枠体６６と、前記枠体上方であって、身体支持部３の下方に設けられた天板６７と、前記枠体６６に設けられ、フレーム部５のレール５６内を走行する複数個のローラ６８と、前記枠体６６の下方に設けられ、フレーム部５のフレームベース５１に設けられた駆動源６１と、第１駆動源６１の駆動力を受けるギア６５と、前記ギア６５と噛合するラック６９と、前記第１駆動源６１の回転数及び回転方向を検知するセンサ６０（図３参照）と、を有している。
このような構成とすることで、移動機構６は、身体支持部３を移動させることができる。
また、移動機構６は、後述するフットレスト４の回動機構４３の取付け部を有しており、身体支持部３の移動にともなって、フットレスト４の回動機構４３も移動するようになっている。
【００２２】
また、移動機構６の第１駆動源６１は、フレーム部５のフレームベース５１に設けられているが、これを後述する図９に示す様に、移動機構６Ａ，６Ｂに設けてもよい。
【００２３】
図４，図５に示す、身体支持部３は、施療機構３３を有しており、マッサージ機１に設けられた移動機構６によって、身体に沿って移動することが可能である。
施療機構３３は、被施療者の大腿部から少なくとも脹脛までを移動し、施療を行いつつ移動する擦りマッサージを行う。
また、図４〜図６に示す様に、身体支持部３の施療機構３３は、擦り部３３ａと、前記擦り部３３ａを往復移動させる往復運動部３４を有しており、前記往復運動部３４を駆動させることで、移動機構６によらずとも、擦りマッサージを行うことができる。
【００２４】
前記擦り部３３ａは、対向する側壁部３５を有しており、対向する側壁部３５の間には身体の底面を支持する中央部３６を有している。
前記擦り部３３ａは、更に側壁部３５と中央部３６とを往復運動させる往復運動部３４を備えており、前記側壁部３５と前記中央部３６を往復運動させることで、擦り動作を行なう。
図６に示す往復運動部３４は、側壁部３５と中央部３６を下方で支持しており、側壁部３５と中央部３６を往復運動させる第２駆動源３７と、側壁部３５と中央部３６に第２駆動源３７からの駆動力を伝える駆動伝達機構（図示せず）を有し、対向する側壁部３５を同一位相で駆動し、中央部３６を側壁部３５と異なる位相で駆動させることで、擦り動作をおこなっている。
【００２５】
前記往復運動部３４は、第２駆動源３７と、第２駆動源からの駆動力を伝達する駆動伝達機構であるプーリー（図示せず）とベルト（図示せず）と、駆動力を減速する減速機構３８と、減速機構３８に繋がった駆動軸３９と、前記駆動軸３９の中央部に減速機構３８が設けられ、前記駆動軸３９上であって、減速機構３８を挟んで設けられた対の第１偏心部３３１と、前記駆動軸３９上であって、駆動軸３９の両端部付近に設けられた対の第２偏心部３３２と、前記第１偏心部３３１と第２偏心部３３２によって、偏心駆動される駆動軸３９に従動するように設けられた、従動軸３３３と、前記従動軸３３３の従動方向を規制する長孔を有する複数個の規制部材３３４とを有している。前記規制部材３３４は、第１偏心部３３１及び第２偏心部３３２と所定距離を持って配置され、前記従動軸３３３は、規制部材３３４の長孔に設けられており、前記従動軸３３３は、第１偏心部３３１と第２偏心部３３２によって、偏心動作を行なう駆動軸３９の動きに合わせて、規制部材３３４の長孔を移動するように構成されている。
前記対の第１偏心部３３１は、中央部３６を支持しており、対の第２偏心部３３２は、側壁部３５を支持しており、前記複数個の規制部材３３４は、中央部３６と側壁部３５を支持している。
第１偏心部３３１と第２偏心部３３２の、回動軸芯は、駆動軸３９と一致しており、対の第１偏心部３３１の回動軸芯は互いに同一位相であり、対の第２偏心部３３２の回動軸芯は、互いに同一位相となっており、第１偏心部３３１の回転軸芯と第２偏心部３３２の回転軸芯は、異なる位相となっている。
この構成によって、擦り部３３ａの往復運動を可能とし、身体支持部３のみでの擦り動作をおこなえる。
【００２６】
図４，図５では、本発明のマッサージ機の身体支持部３を示している。
前記身体支持部３は、施療部３３ｂを有しており、施療部３３ｂは、前記擦り部３３ａに設けられている。具体的には、対向する側壁部３５と中央部３６に設けられており、
対向する側壁部３５の身体に対向する面である内側面に設けられた第１施療部３３６Ｌ，３３６Ｒは、中央部３６に向かって回動するように固定点を有しており、中央部３６は、対向する側壁部３５側の内側面に向かって回動するように固定点を設けた対の第２施療部３３７Ｌ，３３７Ｒと、前記身体支持部３の後端３１側に展開部を有し、前端３２側に固定点を有し、第２施療部３３７Ｌ，３３７Ｒを身体に対して押し付ける方向に回動する第３施療部３３８を有している。
各施療部３３６Ｌ，３３６Ｒ，３３７Ｌ，３３７Ｒ，３３８はエアセルより構成されており、施療部位によって、膨張させるエアセルを制御する。
【００２７】
図７は、身体支持部３の施療部３３ｂの動作と身体支持部３の移動前と移動後の図を示している。図７（ａ）は、施療部３３ｂが、膨張していない状態の身体支持部３を示す図である。図７（ｂ）は、施療部３３ｂが、膨張した状態の身体支持部３を示す図である。図７（ｃ）は、大腿部を施療しているときの身体支持部３を示す図である。図７（ｄ）は、脹脛を施療しているときの身体支持部３を示す図である。図７（ｅ）は、図７（ｃ）の状態の身体支持部３を上方から見た図である。図７（ｆ）は、図７（ｄ）の状態の身体支持部３を上方から見た図である。
図７に示す様に、前記身体支持部３は、移動機構６によって、収納位置と最突出位置までを移動することが可能となっており、収納位置とは、座部２の前端２２に身体支持部３の後端３１が最も近接又は当接している状態をいい、座部２は臀部を支持し、身体支持部３は大腿部を支持する。最突出位置とは、座部２の前端２２と身体支持部３の後端３１が最も離間した状態をいい、座部２は臀部を支持し、身体支持部３は、脹脛を支持する。
また、実施例では、最も突出した位置を脹脛としたが、足部や足首であってもよく、身体外の位置まで、突出するようにしてもよい。
また、収納位置から最突出位置までの間には、複数の施療位置があり、各施療位置での施療を行うことも可能であり、収納位置から最突出位置までを連続的に施療できるようになっている。
【００２８】
前記施療部３３ｂは、フレーム部５に設けられたポンプ５７よりエアが供給されており、電磁弁（図示せず）と制御部（図示せず）によって、膨張収縮するようにプログラムされている。また、移動機構６の大腿部から脹脛の移動に合わせて膨張収縮を行うことができ、各施療位置に応じて、膨張させる施療部の変更や膨張強度の変更を行うことが可能である。また、擦り部３３ａの往復運動に合わせて膨張収縮を行うことができる。
【００２９】
例えば、大腿部に身体支持部３があるときと、脹脛に身体支持部３があるときでは、膨張させる施療部や膨張量が異なる。具体的には、大腿部に身体支持部３がある場合は、側壁部３５の第１施療部３３６Ｌ，３３６Ｒと第２施療部３３７Ｌ，３３７Ｒを膨張させ、脹脛に身体支持部３がある場合は、側壁部の第１施療部３３６Ｌ，３３６Ｒと第２施療部３３７Ｌ，３３７Ｒと第３施療部３３８を膨張させる。このように膨張させる理由としては、大腿部は脹脛に比べて太いため、第３施療部３３８を膨張させなくても、十分な施療を行うことができるが、脹脛は大腿部と比べて、細いので第１施療部３３６Ｌ，３３６Ｒと第２施療部３３７Ｌ，３３７Ｒと第３施療部３３８を膨張させないと十分な施療が行えない。そのため、膨張させる施療部を部位によって変更している。
【００３０】
また、身体支持部３の大腿部から脹脛の移動に合わせて施療部３３ｂを膨張収縮させる場合や、擦り部３３ａの往復運動に合わせて施療部３３ｂを膨張収縮させる場合、最も膨張させた状態では、身体支持部３や擦り部３３ａを移動させにくい。よって、施療部３３ｂの膨張量を調整する必要がある。ここでも大腿部と脹脛の太さの違いを考慮して、移動に伴い、膨張量を調整している。
【００３１】
また、図７（ｅ）及び、図７（ｆ）に示す前記身体支持部３の中央部３６の身体支持面３６ａは、座部２の身体支持面２３に比べて面積が小さくなっており、臀部よりも先にある大腿部や脹脛部をより適切に施療できるようになっている。臀部に比べて、大腿部や脹脛は細いため、座部２と同じ大きさの身体支持面２３で、左右方向の端部に施療部を設けては、大腿部等に施療が行き届かず、満足のいくものではない。よって、座部の身体支持面２３に比べて、中央部３６の身体支持面３６ａを小さくすることで、身体の細い部分についても満足のいく施療が施せる様になっている。また、対向する側壁部３５と中央部２６を含めた左右方向の長さは、座部２の左右方向の長さと略同一となっており、収納状態となった際に美感を保つようにすることが好適である。
【００３２】
図１〜図２に示す、前記フットレスト４は、身体支持部３の前端３２に回動可能に設けられており、前面に身体を支持する平板部４５と、後面に回動機構４３を有しており、回動機構４３によって、上下に回動を行う。前記フットレスト４は、身体支持部３と共に移動するため、前記身体支持部３が収納位置にある際には、被施療者の脹脛部を支持することができ、最突出位置に身体支持部３が移動した際には、足首部を保持するようになっており、身体支持部３の前方にある被施療者の身体を保持するようになっている。フットレスト４の回動機構４３は、移動機構６の移動に伴って、移動するようになっているため、身体支持部３の移動に追従できるようになっている。
【００３３】
また、フットレスト４は、フラットな形状をしており、側壁や中央壁を設けないことで、広い支持面を実現し、非回動時には、邪魔にならないようにしておくことができる。
【００３４】
前記回動機構４３は、フットレストの後面に設けられたリンク部４４と、リンク部４４を押し引きして、フットレスト４を回動動作させるアクチュエータ４６と、を有している。
前記リンク部４４は、第１リンク部材４４ａと第２リンク部材４４ｂと第３リンク部材４４ｃとを有しており、第１リンク部材４４ａの一端は、フットレスト４の裏面に固定されており、他端は第２リンク部材４４ｂの一端に取り付けられており、前記第２リンク部材４４ｂの他端は、第３リンク部材４４ｃの中央部に取り付けられており、第３リンク部材４４ｃの一端は、回動機構４３の駆動源であるアクチュエータ４６に取り付けられており、他端は移動機構６に設けられた回動機構取付け部に設置されている。
フットレスト４が下方回動した状態では、フットレスト４の背面に各リンクが収められており、フットレスト４が上方回動した状態では、第３リンク部材４４ｃがアクチュエータ４６によって、押出され、その動きに伴って、第２リンク部材４４ｂと、第１リンク部材４４ａが押出されて、フットレスト４が上方回動するようになっている。
この構成とすることで、フットレスト４を上方へ回動させた状態から下方へ回動させたときに、回動軌道上に異物があったとしても、挟み込みをなくすことができる。具体的には、第１リンク部材４４ａと第２リンク部材４４ｂは異物に当接した時点で、回動動作を止め、第３リンク部材４４ｃのみアクチュエータ４６の収縮回動にあわせて移動する。
【００３５】
前記実施例では、座部２と身体支持部３とフットレスト４を有するマッサージ機１について、例示したが、図８で示す椅子型マッサージ機９のように、背凭れ部７や肘掛け部８を有していてもよい。
この場合、背凭れ部７は、座部２の後端２１側に設けられ、肘掛け部８は、座部２の左右側方に設けられる。
【００３６】
図８に示す、椅子型マッサージ機９の背凭れ部７は、図示はしていないが、施療機構と、前記施療機構に設けられた被施療者の施療部位をマッサージするマッサージ部材と、マッサージ部材を駆動する駆動機構と、駆動機構の動作を制御する制御部と、前記施療機構を背凭れ部内において、昇降自在移動させる昇降機構と、によって、構成されている。
また、背凭れ部７に上腕を施療する上腕施療部や、腰部などを押圧するエアセル等を設けてもよい。
【００３７】
図８（ａ）の椅子型マッサージ機９は、身体支持部３が収納状態にある図を示しており、前記肘掛け部８は、座部２の左右側方に配置され、前後方向の長さにおいて、収納状態における座部２の後端２１から身体支持部３の前端３２の全長よりも長く設けられている。
また、側面視において、収納状態の座部２と身体支持部３の全長は、少なくとも肘掛け部８に隠れる程度の大きさとなっている。
また、図８（ｂ）の椅子型マッサージ機９は、身体支持部３が最突出位置又は各施療位置に移動している状態を示しており、身体支持部３は、側面視において、肘掛け部８より身体支持部３の一部又は全部が露出した状態となっている。
【００３８】
前記座部２と身体支持部３の幅方向の長さは、左右の肘掛け部８の間に収まる程度の長さとなっており、フレーム部５によって、座部２と身体支持部３は、略同一高さで保持されており、その高さは、身体支持部３の側壁部３５が、側面視における肘掛け部８から露出しない程度の高さとなっている。
このような構成とすることで、身体支持部３を収納状態としたときに、マッサージ機１をコンパクトにしておくことができ、施療をおこなうときには、大腿部から脹脛を移動しながら施療できるようになっている。
【００３９】
また、実施例では、座部２の身体支持面２３は、身体支持部３の身体支持面３６ａよりも高い位置に設けられているが、座部２の身体支持面２３、身体支持部３の身体支持面３６ａのどちらかが高くなっていればよく、被施療者が座りやすいように適宜設定するのが好適である。
【００４０】
図９は、本発明の別実施形態を示している。図９に示す別実施形態は、座部２と身体支持部Ａと身体支持部Ｂを有しており、身体支持部Ａは移動機構６Ａによって、身体支持部Ｂは移動機構６Ｂによって、大腿部から脹脛までを移動可能となっている。なお、本発明の実施例と変更のない部分については、説明を省いている。
図９（ａ）は、身体支持部を座部２の前方に複数設けた実施例を示しており、図９（ｂ）は、複数の身体支持部が移動した状態を示しており、図９（ｃ）は、身体支持部Ａ及びＢの移動機構Ａ及びＢを示しており、図９（ｄ）は、身体支持部Ａを示している。
【００４１】
図９に示す様に、身体支持部Ａと身体支持部Ｂの移動機構６Ａ及び６Ｂは、身体支持部Ａと身体支持部Ｂを同時に動かすことも可能であるし、それぞれ個別動かすことも可能である。
このように構成することで、身体支持部Ａが施療位置で止まって擦り施療を行っている間に、身体支持部Ｂで移動しながら施療部を擦り施療することが可能となる。
【００４２】
ここでは、身体支持部Ａと身体支持部Ｂの構成は同じであるので、身体支持部Ａを例に説明を行う。移動機構Ａは、駆動源６１Ａと、前記駆動源６１Ａから駆動力を伝達する伝達機構６２Ａと、伝達機構６２Ａから伝えられた駆動力を減速する減速機構６３Ａと、減速機構６３Ａを介して左右方向に延びる駆動軸６４Ａと、前記駆動軸６４Ａの端部に設けられたギア６５Ａと、を有し、フレーム部５に設けたレール５６は、ラック６９を有しており、前記ラック６９上を転動するように前記ギア６５Ａを設置している。
このような構成であっても、身体支持部３の移動を実現できる。このほか、ネジ棒式のものや、エアや電動のアクチュエータによる移動等が考えられるが、身体支持部３を移動させるものであれば、身体支持部３を大腿部から脹脛部まで移動させるという本発明の目的を達成できる。
【００４３】
また、図１０の実施例は、座部２の前方に一対の身体支持部Ｃ，Ｄを有するものである。図１０（ａ）は、一対の身体支持部Ｃ，Ｄが収納状態にあるときの図であり、図１０（ｂ）は、一対の身体支持部Ｃ，Ｄが突出した状態にあるときの図であり、図１０（ｃ）は、身体支持部Ｃが突出した状態となっており、身体支持部Ｄが収納状態にあるときの図であり、図１０（ｄ）は、一対の身体支持部Ｃ，Ｄの移動機構６Ｃ，６Ｄを示す図である。
【００４４】
この実施例の一対の身体支持部Ｃ，Ｄは、それぞれに側壁部３５Ｃ，３５Ｄと中央部３６Ｃ，３６Ｄを有しており、被施療者の左右の大腿部や脹脛を振り分けて、施療することが可能である。
【００４５】
また、一対の身体支持部Ｃ，Ｄは個別に移動機構６Ｃ，６Ｄを有しており、身体支持部Ｃ，Ｄは異なる施療部位を施療することが可能である。例えば身体支持部Ｃが大腿部を施療しているときに、身体支持部Ｄが脹脛を施療したり、一方は止まった状態で擦り動作を行ない、他方は移動しながら施療動作を行なうことが可能となる。
【００４６】
また、身体支持部Ｃの移動機構６Ｃは、コの字状のレール５６ＣＬ，５６ＣＲを有しており、同様に身体支持部Ｄの移動機構６Ｄは、コの字状のレール５６ＤＬ，５６ＤＲを有しており、フレーム部５は、該コの字状のレール５６ＣＬ，５６ＣＲ，５６ＤＬ，５６ＤＲを左右と中央に設けており、中央部のレール５６ＣＬ，５６ＤＲは、コの字状のレールの閉端部を対向するように設けられた形状となっている。このように設けることで、コの字状のレール５６ＣＲと中央のレール５６ＣＬの開放端同士が対向し、コの字状のレール５６ＤＬと中央のレール５６ＤＲの開放端同士が対向するようになる。
フレーム部５には、身体支持部Ｃの移動機構６Ｃの駆動源６１Ｃと身体支持部Ｄの移動機構６Ｄの駆動源６１Ｄが設けられており、駆動源６１Ｃの駆動力を受けるギア６５Ｃと、駆動源６１Ｄの駆動力を受けるギア６５Ｄと、前記移動機構６Ｃの下側に設けられたラック６９Ｃとギア６５Ｃが噛合し、前記移動機構６Ｄの下側に設けられたラック６９Ｄとギア６５Ｄが噛合し、それぞれ独立した動きを可能としている。
【００４７】
このような構成とすることで、身体支持部Ｃ，Ｄを個別または同時に移動させることが可能となり、身体支持部Ｃと身体支持部Ｄの位置を異ならせて、大腿部から脹脛をマッサージすることができる。
【符号の説明】
【００４８】
１  マッサージ機
２  座部
３  身体支持部
４  フットレスト
５  フレーム部
６  移動機構
６１  第１駆動源
３３  施療機構
３３ａ  擦り部
３３ｂ（３３６Ｌ，３３６Ｒ，３３７Ｌ，３３７Ｒ，３３８）  施療部
３５    側壁部
３６    中央部
３４    往復運動部
３７    第２駆動源
４３    回動機構
【図１】
2013078487.tif 000003
【図２】
2013078487.tif 000004
【図３】
2013078487.tif 000005
【図４】
2013078487.tif 000006
【図５】
2013078487.tif 000007
【図６】
2013078487.tif 000008
【図７】
2013078487.tif 000009
【図８】
2013078487.tif 000010
【図９】
2013078487.tif 000011
【図１０】
2013078487.tif 000012